(57)【要約】【課題】監視対象者が転倒事故などをおこし易い階段や立ち入り禁止場所などの所定の領域へ接近したことを、報知することを可能とする。【解決手段】行動監視システム１００は、監視対象者の現在位置を検出する位置検出装置１と、監視対象者が立ち入る複数の領域が設定されたマップ情報ＤＢ４３２をもとに、検出された監視対象者の現在位置が何れの領域に含まれるかを検出するサーバ装置４と、検出された領域をもとに、監視対象者の所定の領域への立ち入りを報知する端末装置６とを備える。【選択図】図１
2012113548.tif 000002
【特許請求の範囲】
【請求項１】
監視対象者の現在位置を検出する位置検出装置と、
前記監視対象者が立ち入る複数の領域が設定されたマップ情報をもとに、検出された前記監視対象者の現在位置が何れの領域に含まれるかを検出するサーバ装置と、
検出された前記領域をもとに、前記監視対象者の所定の領域への立ち入りを報知する報知装置と、
を備えることを特徴とする行動監視システム。
【請求項２】
前記サーバ装置は、検出された前記監視対象者の現在位置の履歴をもとに、当該監視対象者の移動距離を算出し、
前記報知装置は、算出された前記移動距離を報知すること、
を特徴とする請求項１に記載の行動監視システム。
【請求項３】
前記監視対象者の生体の活動レベルを示す生体情報を取得する生体情報取得装置を更に備え、
前記サーバ装置は、取得された前記生体情報が予め設定された活動レベル以下であるかを検出し、
前記報知装置は、取得された前記生体情報が予め設定された活動レベル以下であると検出された場合に、前記監視対象者の活動レベルが低減したことを報知すること、
を特徴とする請求項１又は２に記載の行動監視システム。
【請求項４】
前記生体情報は、心拍数、体温、呼吸数の少なくとも一つであること、
を特徴とする請求項３に記載の行動監視システム。
【請求項５】
前記監視対象者の移動先を設定する端末装置と、
前記領域ごとに設置され、設置された領域とは別の領域への案内情報を表示する表示装置と、を更に備え、
前記サーバ装置は、検出された前記領域に設置された前記表示装置に、設定された前記移動先への順路となる領域への案内情報を表示させること、
を特徴とする請求項１乃至４のいずれか一項に記載の行動監視システム。
【請求項６】
位置検出装置が検出した前記監視対象者の現在位置と、前記監視対象者が立ち入る複数の領域が設定されたマップ情報とをもとに、前記監視対象者の現在位置が何れの領域に含まれるかを検出する領域検出手段と、
検出された前記領域をもとに、前記監視対象者の所定の領域への立ち入りを報知装置に報知させる報知手段と、
を備えることを特徴とするサーバ装置。
【発明の詳細な説明】
【技術分野】
【０００１】
本発明の実施形態は、行動監視システム及びサーバ装置に関する。
【背景技術】
【０００２】
従来、入院中の患者などの行動を監視するシステムとして、部屋の出入り口に設置したタグ読取装置により、タグ装置が取り付けられた人物の出入りを監視するシステムがある。例えば、患者の行動を監視するシステムとしては、患者の物に識別情報が送信可能なタグ装置を取り付け、院内の患者が移動する可能性のある部屋の出入り口に取り付けたタグ読取装置から識別情報を受信するごとに、その識別情報に特定される患者の部屋への出入りを管理するサーバを備えた看護支援情報システムが知られている。
【発明の概要】
【発明が解決しようとする課題】
【０００３】
しかしながら、上述した従来技術においては、院内を徘徊する患者が転倒事故などをおこし易い階段や立ち入り禁止領域などへ接近したことを、管理する立場の看護師や医師などに報知することができなかった。
【課題を解決するための手段】
【０００４】
上述した課題を解決するために、実施形態の行動監視システムは、監視対象者の現在位置を検出する位置検出装置と、前記監視対象者が立ち入る複数の領域が設定されたマップ情報をもとに、検出された前記監視対象者の現在位置が何れの領域に含まれるかを検出するサーバ装置と、検出された前記領域をもとに、前記監視対象者の所定の領域への立ち入りを報知する報知装置と、を備えることを特徴とする。
【０００５】
実施形態のサーバ装置は、位置検出装置が検出した前記監視対象者の現在位置と、前記監視対象者が立ち入る複数の領域が設定されたマップ情報とをもとに、前記監視対象者の現在位置が何れの領域に含まれるかを検出する領域検出手段と、検出された前記領域をもとに、前記監視対象者の所定の領域への立ち入りを報知装置に報知させる報知手段と、を備えることを特徴とする。
【図面の簡単な説明】
【０００６】
【図１】図１は、実施形態にかかる行動監視システムの構成を示すブロック図である。
【図２】図２は、病院のマップを示す概念図である。
【図３】図３は、病院に配置された表示装置を例示する概念図である。
【発明を実施するための形態】
【０００７】
以下に添付図面を参照して、実施形態にかかる行動監視システム及びサーバ装置の詳細を説明する。
【０００８】
図１は、実施形態にかかる行動監視システム１００の構成を示すブロック図である。図１に示すように、行動監視システム１００は、位置検出装置１、生体情報取得装置２、患者側の端末装置３、サーバ装置４、表示装置５、及び監視者側の端末装置６を備える構成である。患者とは、行動監視システム１００において行動を監視される監視対象者である。本実施形態では、監視対象者を患者として説明するが、介護施設に入所している入所者などであってもよいことは言うまでもないことである。また、監視者とは、行動監視システム１００において行動を監視する者であり、医師や看護師等の医療・介護従事者が該当する。
【０００９】
位置検出装置１は、ＧＰＳ（Global  Positioning  System）、ＲＦＩＤ（Radio  Frequency  IDentification）、加速度センサ、無線ＬＡＮ（Local  Area  Network）などにより、患者の現在位置を検出する装置である。位置検出装置１は、検出した患者の現在位置を無線ＬＡＮなどの通信ネットワークを介してサーバ装置４へ通知する。具体的には、ＧＰＳの場合は、患者が保持するＧＰＳ受信装置（図示しない）で受信したＧＰＳ信号をもとに患者の現在位置の測量を行い、測量した結果をサーバ装置４へ通知する。また、ＲＦＩＤの場合は、患者が保持する非接触型の無線タグを、部屋や廊下の出入口などに設置された読取装置（いずれも図示しない）で読み取ることで、患者の現在位置を検出し、検出結果をサーバ装置４へ通知する。また、加速度センサの場合は、患者の身体の加速度を検出し、ＧＰＳやＲＦＩＤなどと組み合わせることで、患者の現在位置を加速度の検出結果をもとに補正する。無線ＬＡＮの場合は、院内の各所に設置されたアクセスポイントで、患者が保持する端末装置３などの電波状態を検出し、三角測量法によって患者の現在位置を検出し、その検出結果をサーバ装置４へ通知する。
【００１０】
生体情報取得装置２は、携帯型の心電計、スパイロメトリー測定器、電子体温計などであり、装着した患者の生体の活動レベルを示す生体情報（心拍数、体温、呼吸数）を取得する。生体情報取得装置２は、取得した生体情報を無線ＬＡＮなどの通信ネットワークを介してサーバ装置４へ通知する。
【００１１】
ここでいう生体の活動レベルとは、生体として正常に活動している状態を頂点として、その状態からの外れ具合を活動レベルの低下として示すものである。具体的には、心拍数、体温、呼吸数が正常として活動している範囲内である場合を活動レベルが高い状態、その範囲を外れている場合を活動レベルが低い状態とする。なお、生体情報取得装置２が取得する生体情報は、患者の生体の活動レベルが判別可能であればよく、心拍数、体温、呼吸数の少なくとも一つであればよい。
【００１２】
端末装置３は、例えば患者のベッド（図示しない）に設置され、患者が利用する情報端末である。端末装置３は、患者の操作を受け付けるタッチパネル等の操作部、ＬＣＤ（Liquid  Crystal  Display）等の表示部、無線又は有線のＬＡＮなどの通信ネットワークを介してサーバ装置４と接続するための通信部、ＣＰＵ（Central  Processing  Unit）、ＲＯＭ（Read  Only  Memory）、ＲＡＭ（Random  Access  Memory）、ＨＤＤ（Hard  Disk  Drive）など（いずれも図示しない）を備えて構成される。
【００１３】
端末装置３は、ＣＰＵがＲＯＭやＨＤＤに記憶されたプログラムをＲＡＭの作業領域に展開して順次実行することで、患者の操作に応じてサーバ装置４が提供する各種情報を画面表示するなどの機能を有している。例えば、端末装置３は、患者の移動先を予め登録された一覧の中から設定する画面を表示し、選択操作に応じた移動先を設定する。設定した移動先は、サーバ装置４へ通知される。
【００１４】
なお、位置検出装置１、生体情報取得装置２、端末装置３は、患者ごとに備えられ、サーバ装置４と通信を行う際のＭＡＣアドレスなど、装置ごとにユニークに割り当てられた識別情報と、患者ごとにユニークに割り当てられた患者ＩＤとを関連付けてサーバ装置４で管理している。したがって、位置検出装置１、生体情報取得装置２、端末装置３から通信があった場合、サーバ装置４は、装置ごとの識別情報を参照することで、どの患者の端末装置３から通信があったかを判別可能である。
【００１５】
サーバ装置４は、行動監視システム１００における位置検出装置１、生体情報取得装置２、端末装置３、表示装置５、及び端末装置６の情報を統括するための情報機器であり、通信部４１、制御部４２、記憶部４３を備える構成である。
【００１６】
通信部４１は、制御部４２の制御の下、無線又は有線のＬＡＮなどの通信ネットワークを介して、位置検出装置１、生体情報取得装置２、端末装置３、表示装置５、及び端末装置６との間で所定の通信プロトコルを用いたデータ通信を行う通信インタフェースである。
【００１７】
制御部４２は、ＣＰＵ、ＲＯＭ、ＲＡＭなどを備え、ＣＰＵがＲＯＭや制御部４２に記憶されたプログラムをＲＡＭの作業領域に展開して順次実行することで、サーバ装置４の動作を中央制御する。記憶部４３は、ＨＤＤなどであり、制御部４２が実行するプログラムや、位置・生体情報ＤＢ４３１、マップ情報ＤＢ４３２、表示装置位置情報ＤＢ４３３を記憶する。
【００１８】
位置・生体情報ＤＢ４３１は、患者を識別するための患者ＩＤとともに、位置検出装置１により検出された患者の現在位置、生体情報取得装置２により取得された患者の生体情報、検出・取得された時刻を示す時刻情報を一レコードとして記憶するデータベースである。したがって、サーバ装置４では、同一の患者ＩＤのレコードを時刻情報が示す時刻順に検索することで、患者の現在位置の履歴を取得することができる。位置・生体情報ＤＢ４３１は、制御部４２の制御の下、位置検出装置１より検出された患者の現在位置や生体情報取得装置２より取得された生体情報に変化があった場合に、変化後の情報が新しいレコードとして登録される。
【００１９】
マップ情報ＤＢ４３２は、院外、病室、廊下、階段など、患者が立ち入る複数の領域ごとに、その領域を示す位置情報が登録されたデータベースである。図２は、病院２００のマップを示す概念図である。図２に示すように、病院２００には、廊下２０１、階段２０２、ベッド２１０が設置された病室２０３、診察室２０４、待合室２０５、便器２１１が設置されたトイレ２０６などが患者が立ち入る複数の領域として存在する。マップ情報ＤＢ４３２には、廊下２０１、階段２０２、病室２０３、診察室２０４、待合室２０５、便器２１１などの位置情報が登録されている。したがって、サーバ装置４では、位置検出装置１により検出された患者の現在位置をもとにマップ情報ＤＢ４３２を参照することで、患者が現在どの領域に存在するかを検出することができる。
【００２０】
表示装置位置情報ＤＢ４３３は、表示装置５の位置情報が登録されたデータベースである。表示装置５は、上述した患者が立ち入る複数の領域（例えば病室、廊下、階段など）ごとに設置され、設置された領域とは別の領域への案内情報を表示する。具体的には、病室に設置され、廊下への案内を点灯して表示する表示灯、廊下に設置され、病室、階段などへの案内を点灯して表示する表示灯、廊下に設置され、ＬＣＤなどの表示画面で病室、階段などへの案内を表示する表示ディスプレイなどであってよい。
【００２１】
図２の例では、表示装置５は、廊下２０１、階段２０２、病室２０３、診察室２０４、待合室２０５、便器２１１に設置される。例えば、病室２０３には、廊下２０１への案内を行う表示装置５が出入口に設置される。また、廊下２０１には、廊下２０１の入り口、診察室２０４の入り口、待合室２０５の入り口、階段２０２への降り口のそれぞれに表示装置５が設置される。
【００２２】
図３は、病院２００に配置された表示装置５を例示する概念図である。図３の例では、廊下２０１と接続する部屋のドア２１２の前に表示装置５が設置されている。具体的には、表示装置５は、矢印などを点灯させることで階段などの別の領域を案内する表示灯、「入り口」などの文字を点灯させることでドア２１２の入り口を案内する表示灯などである。
【００２３】
表示装置位置情報ＤＢ４３３には、表示装置５の各々を識別するＩＤとともに、表示装置５の位置情報と、案内する別の領域についての情報が登録されている。例えば、図３に例示した表示装置５については、そのＩＤとともに、表示装置５が設置された廊下２０１の位置、矢印などを点灯させることで階段などの別の領域を案内すること、「入り口」などの文字を点灯させることでドア２１２の入り口を案内することが登録されている。したがって、サーバ装置４は、表示装置位置情報ＤＢ４３３に登録されている情報を参照することで、ドア２１２の前の「入り口」などの文字を点灯させた場合は、廊下２０１にいる患者にドア２１２から部屋へ至る順路を案内することを認識できる。
【００２４】
制御部４２は、上述したプログラムを実行することにより実現される機能部としての、検出部４２１、報知部４２２を備える。
【００２５】
検出部４２１は、位置・生体情報ＤＢ４３１を参照することで、位置検出装置１より検出された患者の現在位置が何れの領域に含まれるかを検出する。例えば、位置検出装置１より検出された患者の現在位置を示す座標が図２に例示した病室２０３の領域に含まれる場合、検出部４２１は、患者が病室２０３にいるものとする。また、検出部４２１は、位置・生体情報ＤＢ４３１を参照することで、生体情報取得装置２より取得された患者の生体情報が予め設定された活動レベル以下であるか否かを検出する。例えば、監視者に報知が必要な程度の活動レベルが予め設定されており、検出部４２１は、患者の生体情報がその活動レベル以下に落ちた場合を検出する。検出部４２１の検出は、位置・生体情報ＤＢ４３１が更新されたタイミングや、所定の時間間隔で行われるものであってよい。
【００２６】
報知部４２２は、検出部４２１で検出された患者が現在いる領域が予め設定された所定の領域である場合、その領域への患者の立ち入りを通信部４１を介して端末装置６へ報知する。端末装置６は、端末装置３と同様、操作部、表示部、通信部、ＣＰＵ、ＲＯＭ、ＲＡＭ、ＨＤＤなど（いずれも図示しない）を備えた情報端末であり、サーバ装置４からの報知内容を表示部に表示して監視者へ報知する。したがって、患者が現在いる領域が予め設定された所定の領域である場合は、その領域への患者の立ち入りが端末装置６より報知されることとなる。これにより、監視者は、監視対象者である患者が転倒事故などをおこし易い階段や立ち入り禁止場所などの所定の領域へ立ち入り（若しくはその近辺への立ち入り）を容易に知ることができる。
【００２７】
例えば、図２の例の場合は、所定の領域として、階段２０２への転倒が考えられる廊下２０１を予め設定する。この場合、患者が廊下２０１へ移動したところで端末装置６での報知が行われることから、監視者は、転倒しやすい階段２０２へ患者が接近したことを事前に察知できる。
【００２８】
また、報知部４２２は、検出部４２１において患者の生体情報が予め設定された活動レベル以下であると検出された場合、患者の活動レベルが低減したことを端末装置６へ報知する。端末装置６では、サーバ装置４からの報知を受けて、患者の活動レベルが低減したことを表示部に表示して監視者へ報知する。これにより、監視者は、監視対象者である患者の活動レベルが低減したことを容易に知ることができる。
【００２９】
なお、制御部４２は、端末装置３、６より患者ＩＤなどにより患者を指定した移動距離が要求された場合、その患者ＩＤのレコードを位置・生体情報ＤＢ４３１より検索して取得した位置の履歴をもとに、移動距離を算出する。次いで、制御部４２は、算出した移動距離を通信部４１を介して要求元へ通知する。要求元である端末装置３、６では、通知された移動距離を表示部に表示して報知する。これにより、患者や監視者は、指定した患者の移動距離を知ることができる。
【００３０】
また、制御部４２は、端末装置３、６より患者の移動先が設定された場合、検出部４２１で検出された患者が現在いる領域に設置された表示装置５に、設定された移動先への順路となる領域への案内を表示させる。
【００３１】
具体的には、図２の例において、移動先として病室２０３から待合室２０５を設定したものとする。そして、図３のドア２１２は、廊下２０１から待合室２０５へと至る順路に該当するものとする。この場合、制御部４２は、検出部４２１での検出により患者が病室２０３にいる間は、表示装置位置情報ＤＢ４３３の情報をもとに、病室２０３と廊下２０１との出入口にある表示灯などの表示装置５を点灯して、廊下２０１への順路を案内する。次いで、検出部４２１により患者が廊下２０１へ移動したことを検出した場合、制御部４２は、表示装置位置情報ＤＢ４３３の情報をもとに、図３の表示装置５における「入り口」の表示灯を点灯して、待合室２０５へ至る順路を案内する。これにより、患者は、設定した移動先へ迷うことなくたどり着くことができる。
【００３２】
なお、本実施形態では、端末装置６において表示することで監視者に報知することを例示した。しかしながら、表示による報知は一例であって、音声による報知であってもよいことは言うまでもないことである。
【符号の説明】
【００３３】
１００…行動監視システム、１…位置検出装置、２…生体情報取得装置、３、６…端末装置、４…サーバ装置、５…表示装置、４１…通信部、４２…制御部、４３…記憶部、４２１…検出部、４２２…報知部、４３１…位置・生体情報ＤＢ、４３２…マップ情報ＤＢ、４３３…表示装置位置情報ＤＢ
【先行技術文献】
【特許文献】
【００３４】
【特許文献１】特開２００５−１４９０８５公報
【図１】
2012113548.tif 000003
【図２】
2012113548.tif 000004
【図３】
2012113548.tif 000005